(57)【要約】【課題】硬貨返却ボタンの押し込み操作力の軽減化を図り得る遊技媒体貸出装置を提供する。【解決手段】硬貨投入口から投入した硬貨が硬貨選別機３で詰まった場合に硬貨返却ボタン１３を押して硬貨選別機の返却レバー２３を操作すると硬貨が硬貨返却口に戻される。硬貨返却ボタンの押し込み操作力を、１つの揺動部材３０を介して硬貨選別機の返却レバーに伝達し、揺動部材を、支点である揺動軸３１が力点である硬貨返却ボタンと接触する接触部３３よりも下側でかつこの接触部に近接した状態に設ける。硬貨返却ボタンを軸線回りに回転不能に設けるとともに、硬貨返却ボタンの揺動部材側の端面を、上側が突出した傾斜面３７に形成する。また、揺動部材の接触部は、硬貨返却ボタンの傾斜面と同じ方向でかつこの傾斜面よりも垂直に近い角度で傾斜する傾斜面３８を有する。【選択図】      図３
2004358114.tif 000002
【特許請求の範囲】
【請求項１】
硬貨投入口から投入した硬貨が硬貨選別機で詰まった場合に硬貨返却ボタンを押して硬貨選別機の返却レバーを操作すると硬貨が硬貨返却口に戻されるように構成された遊技媒体貸出装置において、
上記硬貨返却ボタンの押し込み操作力は、１つの揺動部材を介して硬貨選別機の返却レバーに伝達されるようになっており、上記揺動部材は、支点である揺動軸が力点である硬貨返却ボタンと接触する接触部よりも下側でかつこの接触部に近接した状態に設けられており、
上記硬貨返却ボタンは軸線回りに回転不能に設けられているとともに、硬貨返却ボタンの揺動部材側の端面は、上側が突出した傾斜面に形成されており、上記揺動部材の接触部は、硬貨返却ボタンの傾斜面と同じ方向でかつこの傾斜面よりも垂直に近い角度で傾斜する傾斜面を有していることを特徴とする遊技媒体貸出装置。
【請求項２】
上記硬貨返却ボタンの傾斜面と揺動部材の接触部の傾斜面とは、硬貨返却ボタンを最大限に押し込んだときでも傾斜面同士の下側で隙間が生じるように設定されている請求項１記載の遊技媒体貸出装置。
【請求項３】
上記揺動部材の接触部には硬貨返却ボタンを押し込んだとき傾斜面同士の接触位置を規制するストッパー部が設けられている請求項２記載の遊技媒体貸出装置。
【発明の詳細な説明】
【０００１】
【発明の属する技術分野】
本発明は、遊技場においてパチンコ機やスロットマシンなどの各遊技機に隣接して設置される遊技媒体貸出装置に関し、特に、投入した硬貨が硬貨選別機で詰まった場合に硬貨返却ボタンを押すとその硬貨が戻されるものに係わる。
【０００２】
【従来の技術】
一般に、パチンコホールなどの遊技場においては、パチンコ機やスロットマシンなどの各遊技機の側方に、パチンコ球やメダルなどの遊技媒体を貸し出す遊技媒体貸出装置が設置されている。この種の遊技媒体貸出装置としては、例えば特許文献１に開示されるように、内部に少なくとも硬貨選別機及び制御基板を配置するとともに、前面に硬貨投入口、硬貨返却ボタン及び硬貨返却口などを設けたものが知られている。
【０００３】
上記硬貨選別機は、例えば特許文献２に開示されるように、硬貨の真偽や金種の選別を行うもので、所定の硬貨（例えば１００円硬貨）が硬貨投入口に投入されるとその硬貨を回収通路を通して回収する一方、それ以外のものが投入されると返却通路を通して硬貨返却口に戻すようになっている。また、硬貨投入口から投入された硬貨が硬貨選別機で詰まった場合に硬貨返却ボタンを押して硬貨選別機の返却レバーを操作したときにもその硬貨は硬貨返却口に戻される構成になっている。
【０００４】
そして、上記硬貨返却ボタンの押し込み操作力を硬貨選別機の返却レバーに伝達する機構としては、通常、例えば図８に示すように、硬貨返却ボタンａの一端と硬貨選別機ｂの返却レバー（図示せず）との間に２つの揺動レバーｃ，ｄをそれぞれ支軸ｅ，ｆ回りに揺動可能に配設し、硬貨返却ボタンａを比較的軽く押すだけで硬貨選別機ｂの返却レバーを確実に操作できるようになっている。また、特許文献１にも開示されるように、部品点数を少なくするために、１つの揺動部材のみで伝達機構を構成するものも知られている。この場合、硬貨返却ボタンの押し込み操作力を軽くするために、揺動部材の支点である揺動軸と、揺動部材の力点である硬貨返却ボタンと接触する接触部との間の長さを長くする必要があり、揺動部材は比較的大きなものになっている。
【０００５】
【特許文献１】
特開２００２−２８２５２０号公報（第２−４頁、図１−図７）
【特許文献２】
特開平９−２３７３７３号公報（第２頁、図７−図８）
【０００６】
【発明が解決しようとする課題】
ところが、近年の遊技媒体貸出装置は、機能面の充実を図るために硬貨選別機の外に紙幣識別機やカードユニットなど多種多彩な部品を搭載するようになっており、硬貨返却ボタンａの一端と硬貨選別機ｂの返却レバーとの間に２つの揺動レバーｃ，ｄを配置したり、比較的大きな１つの揺動部材を配置したりするスペースを確保することが困難になっている。このため、１つの揺動部材のみで伝達機構を構成する場合、揺動部材の支点と力点との間の長さを長くすることができず、硬貨返却ボタンの押し込み操作力が重く大きくなるという問題がある。
【０００７】
本発明はかかる点に鑑みてなされたものであり、その課題とするところは、特に、１つの揺動部材のみで伝達機構を構成するに当たり揺動部材の支点と力点との間の長さを長くすることができない場合に、揺動部材の力点である硬貨返却ボタンとの接触部での構造を改善して、硬貨返却ボタンの押し込み操作力の軽減化を図り得る遊技媒体貸出装置を提供せんとするものである。
【０００８】
【課題を解決するための手段】
上記の課題を解決するため、請求項１に係る発明は、硬貨投入口から投入した硬貨が硬貨選別機で詰まった場合に硬貨返却ボタンを押して硬貨選別機の返却レバーを操作すると硬貨が硬貨返却口に戻されるように構成された遊技媒体貸出装置において、上記硬貨返却ボタンの押し込み操作力を、１つの揺動部材を介して硬貨選別機の返却レバーに伝達し、上記揺動部材を、支点である揺動軸が力点である硬貨返却ボタンと接触する接触部よりも下側でかつこの接触部に近接した状態に設けることを前提とする。そして、上記硬貨返却ボタンを軸線回りに回転不能に設けるとともに、硬貨返却ボタンの揺動部材側の端面を、上側が突出した傾斜面に形成する。また、上記揺動部材の接触部は、硬貨返却ボタンの傾斜面と同じ方向でかつこの傾斜面よりも垂直に近い角度で傾斜する傾斜面を有する構成とする。
【０００９】
この構成では、軸線回りに回転不能な硬貨返却ボタンの揺動部材側の端面は、上側が突出した傾斜面に形成されており、また揺動部材の硬貨返却ボタンとの接触部も硬貨返却ボタンの傾斜面と同じ方向でかつこの傾斜面よりも垂直に近い角度で傾斜する傾斜面を有しているため、硬貨返却ボタンと揺動部材の接触部との接触位置は、硬貨返却ボタンの揺動部材側端面が半球状に形成されかつ揺動部材の接触部が垂直面に形成されている場合よりも硬貨返却ボタンの半径寸法分上側つまり揺動部材の揺動軸から離れる側に変位することになり、硬貨返却ボタンからの押し込み操作力による揺動部材の揺動軸回りのモーメントが大きくなる。また、硬貨返却ボタンを押したときこの硬貨返却ボタンはその傾斜面で揺動部材の接触部の傾斜面と面接触に近い状態で接触しながらその操作力の伝達方向に移動するため、硬貨返却ボタンから揺動部材への力の伝達が円滑に行われる。これらのことから、揺動部材の支点と力点との間の長さが短い場合でも硬貨返却ボタンの押し込み操作力が軽減することになる。
【００１０】
請求項２に係る発明は、請求項１記載の遊技媒体貸出装置において、上記硬貨返却ボタンの傾斜面と揺動部材の接触部の傾斜面とを、硬貨返却ボタンを最大限に押し込んだときでも傾斜面同士の下側で隙間が生じるように設定する構成とする。この構成では、硬貨返却ボタンを最大限に押し込んだ状態で押すのを止め、硬貨選別機側のばね反力によって硬貨返却ボタンが揺動部材の接触部の傾斜面に押されて元に戻るときには、硬貨返却ボタンの押し込み操作時と同じく傾斜面同士の上側で両者が接触したまま戻るため、硬貨返却ボタンの戻りが円滑に行われることになる。
【００１１】
請求項３に係る発明は、請求項２記載の遊技媒体貸出装置において、上記揺動部材の接触部に、硬貨返却ボタンを押し込んだとき傾斜面同士の接触位置を規制するストッパー部を設ける構成とする。この構成では、硬貨返却ボタンを押し込んだときに硬貨返却ボタンの接触面が揺動部材の接触部の接触面に対し上側にずれるとそのずれが揺動部材の接触部に設けたストッパー部により規制されるため、接触面同士の接触外れや所定外の接触状態の発生を防止することができる。
【００１２】
【発明の実施の形態】
以下、本発明の実施の形態を図面に基づいて説明する。
図１及び図２は本発明の実施の形態に係る遊技媒体貸出装置Ａを示し、この遊技媒体貸出装置Ａは、遊技機としてのパチンコ機（図示せず）に隣接して配置され、このパチンコ機に対し貸出データを送信してパチンコ球の貸出処理を行わせるとともに、カード発行機能を有するものである。
【００１３】
すなわち、上記遊技媒体貸出装置Ａは、筐体１内に紙幣識別機２、硬貨選別機３、硬貨導入通路４、硬貨回収通路５、硬貨返却通路６、カードユニット及び主制御基板（共に図示せず）などを装備してなり、筐体１の正面側を構成する正面パネル１ａには紙幣挿入口１１、硬貨投入口１２、硬貨返却ボタン１３、硬貨返却口１４、封入式カード発行口１５及び会員カード挿入口１６などが設けられている。そして、紙幣挿入口１１に所定の紙幣（例えば千円札など）を挿入すると紙幣識別機２でその紙幣が真正であることを確認した後、会員カード挿入口１６に会員カードが挿入されていなければカードユニットがカード発行口１５にて封入式カードを発行するとともに、向かって右隣りのパチンコ機に対し貸出データを送信してパチンコ球の貸出処理を行わせ、会員カード挿入口１６に会員カードが挿入されていれば会員カードに有価価値を加算するようになっている。また、硬貨投入口１２に所定の硬貨を投入したとき硬貨選別機３で投入硬貨の真正が確認されると右隣りのパチンコ機に対しパチンコ球の貸出処理を行わせる。
【００１４】
上記硬貨選別機３は、図３及び図４に詳示するように、上面側に開閉ゲート２１により一部構成された硬貨取り入れ口２２を有し、硬貨投入口１２から硬貨導入通路４を通して硬貨取り入れ口２２に導入された硬貨の真偽や金種の選別を行い、真正な硬貨であれば硬貨回収通路５に送出して硬貨の回収を行い、それ以外のものであれば硬貨返却通路６に送出して硬貨返却口１４に戻すようになっている。また、硬貨選別機３の硬貨取り入れ口２２側には略水平に延びる返却レバー２３が支軸２４回りに回動可能に設けられており、硬貨取り入れ口２２で投入された硬貨が詰まった場合に、図５に示すように硬貨返却ボタン１３を前方より押して返却レバー２３の自由端を押し下げると開閉ゲート２１が少し開いて、詰まった貨幣が硬貨選別機３内から硬貨返却通路６を介して硬貨返却口１４に戻されるようになっている。
【００１５】
そして、上記硬貨返却ボタン１３の押し込み操作力は、１つの揺動部材３０を介して硬貨選別機３の返却レバー２３に伝達されるようになっている。揺動部材３０は、図６に拡大詳示するように、横方向に長いプレート状のもので、その一端部の下側には支点である揺動軸３１が貫通する貫通孔３２が、一端部の上側には力点である硬貨返却ボタン１３と接触する接触部３３が、他端部には作用点である硬貨選別機３の返却レバー２３の自由端に当接するフランジ部３４がそれぞれ形成されており、この揺動部材３０の揺動軸３１ないし貫通孔３２と接触部３３とは互いに近接して設けられている。
【００１６】
上記硬貨返却ボタン１３は、ロッド状のもので、支持部材３５により軸線方向に摺動可能に支持されている。この硬貨返却ボタン１３の中央部（支持部材３５により支持される部位）から揺動部材３０側の部分には、図７に示すように、下側を削り取って切り欠き部３６が形成されているとともに、支持部材３５のフランジ部３５ａにはこの切り欠き部３６を含む硬貨返却ボタン１３の外周面が摺動可能に嵌合する嵌合溝３５ｂが形成されており、よって硬貨返却ボタン１３は軸線回りに回転不能に設けられている。この硬貨返却ボタン１３の揺動部材３０側の端面は、上側が突出した傾斜面３７に形成されている。
【００１７】
一方、上記揺動部材３０の接触部３３は、上記硬貨返却ボタン１３の傾斜面３７と同じ方向でかつこの傾斜面３７よりも垂直に近い角度（換言すれば垂直面に対し角度が小さい状態）で傾斜する傾斜面３８を有している。この揺動部材３０の接触部３３の傾斜面３８と硬貨返却ボタン１３の傾斜面３７とは、図５に示す如く硬貨返却ボタン１３を最大限に押し込んだときでも傾斜面３７，３８同士の下側で隙間３９が生じるように設定されている。また、揺動部材３０の接触部３３にはその傾斜面３８の上側に硬貨返却ボタン１３を押し込んだとき接触面３７，３８同士の接触位置を規制するストッパー部４０が接触部３３の一部を傾斜面３８と略直角に折り曲げて形成されている。
【００１８】
従って、上記実施形態の遊技媒体貸出装置Ａにおいては、硬貨返却ボタン１３が軸線回りに回転不能に設けられ、この硬貨返却ボタン１３の揺動部材３０側の端面は、上側が突出した傾斜面３７に形成されており、また揺動部材３０の接触部３３も硬貨返却ボタン１３の傾斜面３７と同じ方向でかつこの傾斜面３７よりも垂直に近い角度で傾斜する傾斜面３８を有しているため、硬貨返却ボタン１３と揺動部材３０の接触部３３との接触位置は、例えば硬貨返却ボタン１３の揺動部材側端面が半球状に形成されかつ揺動部材３０の接触部３３が垂直面に形成されている場合よりも硬貨返却ボタン１３の半径寸法分上側つまり揺動部材３０の揺動軸３１から離れる側に変位することになり、硬貨返却ボタン１３からの押し込み操作力による揺動部材３０の揺動軸３１回りのモーメントが大きくなる。また、硬貨返却ボタン１３を押したときこの硬貨返却ボタン１３はその傾斜面３７で揺動部材３０の接触部３３の傾斜面３８と面接触に近い状態で接触しながらその操作力の伝達方向に移動するため、硬貨返却ボタン１３から揺動部材３０への力の伝達が円滑に行われる。これらのことから、本実施例の如く筐体１内に多種多彩な部品が搭載され、それに起因して揺動部材３０の支点（揺動軸）３１と力点（接触部）３３との間の長さが短い場合でも硬貨返却ボタン１３の押し込み操作力を可及的に軽減することができ、操作性の向上に寄与することができる。
【００１９】
しかも、上記硬貨返却ボタン１３の傾斜面３７と揺動部材３０の接触部３３の傾斜面３８とは、硬貨返却ボタン１３を最大限に押し込んだときでも傾斜面３７，３８同士の下側で隙間３９が生じるように設定されているため、硬貨返却ボタン１３を最大限に押し込んだ状態で押すのを止め、硬貨選別機３側のばね反力（詳しくは返却レバー２３の支軸２４の周囲に設けられる戻しばねの反力）によって硬貨返却ボタン１３が揺動部材３０の接触部３３の傾斜面３８に押されて元に戻るときには、硬貨返却ボタン１３の押し込み操作時と同じく傾斜面３７，３８同士の上側で両者が接触したまま戻ることになる。このため、硬貨返却ボタン１３の揺動部材側端部に上向き力が作用して硬貨返却ボタン１３が戻らなくなったり、戻りが遅くなったりすることはなく、硬貨返却ボタン１３の円滑な戻りを確保することができる。
【００２０】
さらに、上記硬貨返却ボタン１３を押し込んだときに硬貨返却ボタン１３の接触面３７が揺動部材３０の接触部３３の接触面３８に対し上側にずれるとそのずれが揺動部材３０の接触部３３のストッパー部４０により規制されるため、接触面３７，３８同士の接触外れや所定外の接触状態の発生を防止することができ、硬貨返却ボタン１３の円滑な戻りをより確実に確保することができる。
【００２１】
尚、本発明は上記実施形態に限定されるものではなく、その他種々の実施形態を包含するものである。例えば上記実施形態では、硬貨返却ボタン１３を軸線回りに回転不能に設けるに当たり、硬貨返却ボタン１３の中央部から揺動部材３０側の部分に切り欠き部３６を形成するとともに、支持部材３５のフランジ部３５ａにこの切り欠き部３６を含む硬貨返却ボタン１３の外周面が摺動可能に嵌合する嵌合溝３５ｂを形成したが、本発明は、これに限らず、硬貨返却ボタン１３及び支持部材３５のいずれか一方に凸部を、他方にこの凸部が嵌合する軸線方向に延びる凹条部をそれぞれ形成するようにしてもよい。
【００２２】
また、上記実施形態では、遊技媒体貸出装置として、隣接するパチンコ機に対し貸出データを送信してパチンコ球の貸出処理を行われるとともにカード発行機能を有するものについて述べたが、本発明は、少なくとも硬貨選別機を搭載し、硬貨投入口から投入した硬貨が硬貨選別機で詰まった場合に硬貨返却ボタンを押すと硬貨が硬貨返却口に戻されるように構成された遊技媒体貸出装置に広く適用することができ、特に硬貨選別機と共に多種多彩の部品を搭載してなるものに適用することが有効である。
【００２３】
【発明の効果】
以上のように、本発明の遊技媒体貸出装置によれば、硬貨返却ボタンの押し込み操作力を、１つの揺動部材を介して硬貨選別機の返却レバーに伝達するものにおいて、揺動部材の支点と力点との間の長さが短い場合でも硬貨返却ボタンの押し込み操作力を軽減することができるので、操作性の向上を図ることができ、特に機能面の充実を図るために多種多彩な部品を搭載する場合に有効なものである。
【００２４】
殊に、請求項２に係る発明では、硬貨返却ボタンを最大限に押し込んだ状態で押すのを止め、硬貨選別機側のばね反力によって硬貨返却ボタンが揺動部材の接触部の傾斜面に押されて元に戻るときには硬貨返却ボタンの円滑な戻りを確保することができ、実施化を図る上で有効なものである。
【００２５】
また、請求項３に係る発明では、硬貨返却ボタンを押し込んだときに硬貨返却ボタンの接触面が揺動部材の接触部の接触面に対し上側にずれるとそのずれが揺動部材のストッパー部により規制されるため、接触面同士の接触外れや所定外の接触状態の発生を防止することができ、硬貨返却ボタンの円滑な戻りをより確実に確保することができる。
【図面の簡単な説明】
【図１】本発明の実施形態に係る遊技媒体貸出装置の正面図である。
【図２】上記遊技媒体貸出装置の一部を切開して見た左側面図である。
【図３】図２の硬貨選別機付近の拡大図である。
【図４】同じく硬貨選別機付近を前方より見た斜視図である。
【図５】硬貨返却ボタンを最大限に押し込んだ状態を示す図３相当図である。
【図６】揺動部材の斜視図である。
【図７】図３のＸ−Ｘ線における拡大断面図である。
【図８】従来技術を説明するための図３相当図である。
【符号の説明】
Ａ    遊技媒体貸出装置
３    硬貨選別機
１２    硬貨投入口
１３    硬貨返却ボタン
１４    硬貨返却口
２３    返却レバー
３０    揺動部材
３１    揺動軸
３３    接触部
３５    支持部材
３５ｂ  嵌合溝
３６    切り欠き部
３７，３８    傾斜面
３９    隙間
４０    ストッパー部
【図１】
2004358114.tif 000003
【図２】
2004358114.tif 000004
【図３】
2004358114.tif 000005
【図４】
2004358114.tif 000006
【図５】
2004358114.tif 000007
【図６】
2004358114.tif 000008
【図７】
2004358114.tif 000009
【図８】
2004358114.tif 000010